(57)【要約】【課題】挿入されたカードを排出したいときに外れるように設けられている簡易ロックピンが外れないようにすることで、カードの不正な排出（誤排出）を防止する。【解決手段】ＳＤカード３００がカードソケット３００内に挿入されると、カード検出スイッチ１０２が端子１０３に接続されてスイッチがオンとなり、また、簡易ロックピン１０１がＳＤカード３００の溝３０１に係合する。更に、ＳＤカード３００に対するアクセス期間中は、ロック装置１０６内の回路により作動部１０７が突出して簡易ロックピン１０２の先端部を溝３０１内に押し込む力が付勢される。この結果、簡易ロックピン１０２がロック装置１０６によりスプリング１０４の伸張力よりも大なる力が付勢されてロックされ、ＳＤカード３００を再度挿入方向へ押すことができず、また、挿入方向とは逆にＳＤカード３００を引き抜くことも同様にできなくなる。【選択図】図８
2009099000.tif 000002
【特許請求の範囲】
【請求項１】
一部に溝が設けられたカード型外部記憶装置が挿入され、挿入された前記カード型外部記憶装置が排出されるカードソケットであって、
前記カード型外部記憶装置の挿入状態時に、前記カード型外部記憶装置の前記溝に、一部分が係合して前記カード型外部記憶装置の自然な排出を防止すると共に、そのカード型外部記憶装置の排出時は前記係合が外れる簡易ロック手段と、
前記簡易ロック手段の前記一部分と前記カード型外部記憶装置の前記溝との係合が外れないように、前記一部分に外部から力を付勢して前記一部分と前記溝との係合力を増加してロックするロック手段と
を有することを特徴とするカードソケット。
【請求項２】
挿入された前記カード型外部記憶装置に対する演算装置によるアクセスの有無を示す制御信号が前記演算装置から入力される入力部と、
アクセス中を示す前記制御信号が前記入力部に入力されているときは、前記ロック手段による前記ロックを行わせ、アクセスしていないことを示す前記制御信号が前記入力部に入力されているときは、前記ロック手段による前記ロックを解除する制御部と
を更に有することを特徴とする請求項１記載のカードソケット。
【請求項３】
前記カード型外部記憶装置の挿入状態を検出する検出手段を更に有し、
前記制御部は、前記検出手段から前記カード型外部記憶装置の挿入状態を示す検出信号が入力され、かつ、アクセス中を示す前記制御信号が前記入力部に入力されているときに、前記ロック手段に前記ロックを行わせることを特徴とする請求項２記載のカードソケット。
【請求項４】
前記演算装置の電源電圧が入力される電源入力部を更に有し、
前記制御部は、前記電源入力部に入力された前記電源電圧が所定値以下の場合には、前記ロック手段に前記ロックを解除させることを特徴とする請求項２記載のカードソケット。
【請求項５】
前記カード型外部記憶装置がスプリングのバネ力に抗して挿入され、前記スプリングが所定の収縮状態になった時に挿入された前記カード型外部記憶装置を保持し、保持状態にある前記カード型外部記憶装置を更に挿入方向と同方向に挿入すると前記保持状態を解除して、前記簡易ロック手段の前記一部分と前記カード型外部記憶装置の前記溝との係合力よりも大である前記スプリングのバネ力により、前記簡易ロック手段によるロックを解除して前記カード型外部記憶装置を挿入方向とは反対方向に移動させて外部に排出させるスプリング機構を更に有し、
前記ロック手段は、前記簡易ロック手段の前記一部分と前記カード型外部記憶装置の前記溝との係合力を、前記スプリングのバネ力よりも大なる力とするために、前記一部分に力を付勢する手段であることを特徴とする請求項１又は２記載のカードソケット。
【請求項６】
カードソケットに挿入されて保持されている、一部に溝が設けられたカード型外部記憶装置に対して演算装置がアクセスしている期間中は、前記カード型外部記憶装置の前記カードソケットからの排出を防止するカード排出防止装置であって、
前記演算装置は、
前記カード型外部記憶装置に書き込む所望のデータを送信し、又は前記カード型外部記憶装置から読み出したデータを受信するデータ送受信手段と、
前記カード型外部記憶装置にアクセスしているか否かを示す制御信号を生成して送信する制御信号送信手段とを有し、
前記カードソケットは、
一部分が係合して前記カード型外部記憶装置の自然な排出を防止すると共に、そのカード型外部記憶装置の排出時は前記係合が外れる簡易ロック手段と、
前記簡易ロック手段の前記一部分と前記カード型外部記憶装置の前記溝との係合が外れないように、前記一部分に外部から力を付勢して前記一部分と前記溝との係合力を増加してロックするロック手段と、
前記カード型外部記憶装置から読み出した所望のデータを前記演算装置へ出力し、又は前記演算装置から入力されたデータを前記カード型外部記憶装置に書き込み、前記演算装置からの前記制御信号を入力として受ける入出力部と、
前記入出力部により入力された前記制御信号がアクセス中であることを示しているときは、前記ロック手段による前記ロックを行わせ、前記制御信号がアクセスしていないことを示しているときは、前記ロック手段による前記ロックを解除する制御部と、
を有することを特徴とするカード排出防止装置。
【請求項７】
前記カードソケットは、
前記カード型外部記憶装置の挿入状態を検出する検出手段を更に有し、前記制御部は、前記検出手段から前記カード型外部記憶装置の挿入状態を示す検出信号が入力され、かつ、アクセス中を示す前記制御信号が前記入出力部に入力されているときに、前記ロック手段に前記ロックを行わせることを特徴とする請求項６記載のカード排出防止装置。
【請求項８】
前記演算装置は、電源電圧を前記カードソケットに出力する電源電圧出力手段を更に有し、
前記カードソケットは、
前記演算装置の電源電圧が入力される電源入力部を更に有し、前記制御部は、前記電源入力部に入力された前記電源電圧が所定値以下の場合には、前記ロック手段に前記ロックを解除させることを特徴とする請求項６記載のカード排出防止装置。
【請求項９】
前記カードソケットは、
前記カード型外部記憶装置がスプリングのバネ力に抗して挿入され、前記スプリングが所定の収縮状態になった時に挿入された前記カード型外部記憶装置を保持し、保持状態にある前記カード型外部記憶装置を更に挿入方向と同方向に挿入すると前記保持状態を解除して、前記簡易ロック手段の前記一部分と前記カード型外部記憶装置の前記溝との係合力よりも大である前記スプリングのバネ力により、前記簡易ロック手段によるロックを解除して前記カード型外部記憶装置を挿入方向とは反対方向に移動させて外部に排出させるスプリング機構を更に有し、
前記ロック手段は、前記簡易ロック手段の前記一部分と前記カード型外部記憶装置の前記溝との係合力を、前記スプリングのバネ力よりも大なる力とするために、前記一部分に力を付勢する手段であることを特徴とする請求項６乃至８のうちいずれか一項記載のカード排出防止装置。
【請求項１０】
前記演算装置は、電池により動作する電気機器に設けられていることを特徴とする請求項６乃至９のうちいずれか一項記載のカード排出装置。
【発明の詳細な説明】
【技術分野】
【０００１】
本発明はカードソケット及びカード排出防止装置に係り、特にＳＤカード（他にＭＭＣカード、メモリスティック、コンパクトフラッシュカード；コンパクトフラッシュは登録商標）のカードソケット及びそれを用いて所定状態のときのＳＤカードの排出を防止するカード排出防止装置に関する。
【背景技術】
【０００２】
図１０は本発明に関連するカードソケットの一例の平面図を示す。図１０において、プッシュ・プッシュ型のカード排出機構で構成されているカードソケット２００は、ＳＤカードの挿入・排出方向に平行な方向にある２つの側壁のうち、一方の側壁に簡易ロックピン２０１と、スプリング２０４とが設けられており、他方の側壁にカード検出スイッチ２０２と金属製の端子２０３とが設けられている。スプリング２０４の一端はカードソケット２００のＳＤカードの挿入方向の端部に固定されており、他方は突出部２０５の一端に固定されており、突出部２０５と一体的に変位する構成とされている。カード検出スイッチ２０２は一端が前記他方の側壁に固定されており、他端が自由端とされており、その他端が端子２０３にＳＤカード挿入時に接触可能な構造とされている。
【０００３】
図１１はＳＤカードが途中まで挿入された状態の図１０のカードソケットの平面図、図１２はＳＤカードが挿入された状態の図１０のカードソケットの平面図を示す。図１０のカードソケットに、電気機器（例えば、携帯電話やデジタルカメラなど）で用いられているＳＤカード３００を途中まで挿入した状態では、図１１に示すように、ＳＤカード２０１の挿入方向右側の側端部で簡易ロックピン２０１が押された状態となる。しかし、カード検出スイッチ２０２は端子２０２と接触していないのでオフ状態であり、まだ突出部２０５にＳＤカード３００が接触していないためＳＤカード３００を排出するためのスプリング２０４は伸びきった状態となっている。
【０００４】
この状態から更にＳＤカード３００を図１１の上方向に挿入すると、ＳＤカード３００の先端部が突出部２０５に当接し、更にこの状態でスプリング２０４の伸張力に抗してＳＤカード３００を上方向に押し込むと図１２に示すように、カード検出スイッチ２０２の自由端が端子２０２と接触してオン状態となり、導通することでＳＤカード３００が挿入されたことを検出できる構造になっている。また、これと同時にスプリング２０４が図１２に示すように、一度収縮した状態でＳＤカード３００が固定されると共に、ＳＤカード３００の側面の溝３０１に簡易ロックピン２０１の先端が入り込む。これにより、不用意にＳＤカード３００がカードソケット３００から排出されないようにされる。
【０００５】
しかしながら、この図１２の状態では簡易ロックピン２０１のみでＳＤカード３００の溝を押さえている形になるので、自然にＳＤカード３００がカードソケット２００から排出されることはないが、ＳＤカード３００を更に挿入方向（カードソケット２００の奥方向）へ押し込むことでスプリング２０４の固定が解除され、スプリング２０４の伸張力によりＳＤカード３００にカードソケット２００の入り口方向への力が付勢されると共に、簡易ロックピン２０１のロックが解除されるため、カードソケット２００から排出される。
【０００６】
上記の排出がＳＤカード３００に対して所定の書き込みや読み出し動作が行われている間になされると、データの書込みができず、またデータの読み出しもできなくなるので、このような不正な排出を防止する必要がある。
【０００７】
そこで、ＩＣカードを装置内に挿入した時、その挿入を検知した場合は、カードロック手段を作動させて、ＩＣカードの読み取り／書込み動作中は手動の取り出し釦を押し込み不能の状態にロックさせた構成の装置が知られている（例えば、特許文献１参照）。
【０００８】
【特許文献１】特開昭６１−２３２８２号公報
【発明の開示】
【発明が解決しようとする課題】
【０００９】
しかしながら、上記の特許文献１記載のＩＣカードの読み取り・書込み装置のＩＣカードのロック方法は、上記のＩＣカードを装置内に挿入した場合に、ソケットの入り口を抑える形でＩＣカードをロックする構造であり、ＩＣカードをロックするための専用の構造が必要である。
【００１０】
一方、図１０に示したカードソケット２００では、ＳＤカード３００が挿入された状態から更にＳＤカード３００を挿入方向へ押すことで、いつでもＳＤカード３００が排出できてしまい、また、ＳＤカード３００が挿入された状態から挿入方向とは逆の方向に抜くことでＳＤカード３００が排出できてしまうことが課題である。
【００１１】
更に、図１０に示したカードソケット２００を有する電気機器（例えば、携帯電話やデジタルカメラなど）では、電気機器内の中央処理装置（ＣＰＵ）がＳＤカード３００にアクセスしているのかどうかがわからなかったため、ＣＰＵが指示をしてＳＤカード３００に対して、書き込みや読み出しといったアクセス動作をしている時に、ユーザーによって上記のＳＤカード３００の排出操作によって、ＳＤカード３００を抜き取られてしまう危険性があり、その場合は書き込み中ではデータを書き込むことができない、読み出し中は途中でデータが読み取れない。
【００１２】
本発明は以上の点に鑑みなされたもので、挿入されたカードを排出したいときに外れるように設けられている簡易ロックピンが外れないようにすることで、カードの不正な排出（誤排出）を防止し得るカードソケット及びカード排出防止装置を提供することを目的とする。
【課題を解決するための手段】
【００１３】
上記の目的を達成するため、本発明のカードソケットは、一部に溝が設けられたカード型外部記憶装置が挿入され、挿入されたカード型外部記憶装置が排出されるカードソケットであって、
カード型外部記憶装置の挿入状態時に、カード型外部記憶装置の溝に、一部分が係合してカード型外部記憶装置の自然な排出を防止すると共に、そのカード型外部記憶装置の排出時は係合が外れる簡易ロック手段と、簡易ロック手段の一部分とカード型外部記憶装置の溝との係合が外れないように、一部分に外部から力を付勢して一部分と溝との係合力を増加してロックするロック手段とを有することを特徴とする。
【００１４】
また、上記の目的を達成するため、本発明のカード排出防止装置は、カードソケットに挿入されて保持されている、一部に溝が設けられたカード型外部記憶装置に対して演算装置がアクセスしている期間中は、カード型外部記憶装置のカードソケットからの排出を防止するカード排出防止装置であって、
上記演算装置は、カード型外部記憶装置に書き込む所望のデータを送信し、又はカード型外部記憶装置から読み出したデータを受信するデータ送受信手段と、
カード型外部記憶装置にアクセスしているか否かを示す制御信号を生成して送信する制御信号送信手段とを有し、
上記カードソケットは、一部分が係合してカード型外部記憶装置の自然な排出を防止すると共に、そのカード型外部記憶装置の排出時は係合が外れる簡易ロック手段と、簡易ロック手段の一部分とカード型外部記憶装置の溝との係合が外れないように、一部分に外部から力を付勢して一部分と溝との係合力を増加してロックするロック手段と、カード型外部記憶装置から読み出した所望のデータを演算装置へ出力し、又は演算装置から入力されたデータをカード型外部記憶装置に書き込み、演算装置からの制御信号を入力として受ける入出力部と、入出力部により入力された制御信号がアクセス中であることを示しているときは、ロック手段によるロックを行わせ、制御信号がアクセスしていないことを示しているときは、ロック手段によるロックを解除する制御部とを有することを特徴とする。
【発明の効果】
【００１５】
本発明によれば、カード型外部記憶装置へのアクセス中はカード型外部記憶装置の挿入方向への押し込みや、挿入方向と逆方向へのカード型外部記憶装置の引き抜きができず、アクセス中のカード型外部記憶装置の誤排出を防止することができる。
【発明を実施するための最良の形態】
【００１６】
次に、本発明を実施するための最良の形態について図面と共に詳細に説明する。
【００１７】
図１は本発明になるカードソケットの一実施形態の平面図、図２は図１のカードソケットにＳＤカードが挿入される前の状態の斜視図を示す。図１において、カードソケット１００は、カード型外部記憶装置の一例であるＳＤカードの挿入・排出方向に平行な方向にある２つの側壁のうち、一方の側壁に簡易ロックピン１０１と、スプリング１０４と、ロック装置１０６とが設けられており、他方の側壁に金属製のカード検出スイッチ１０２と金属製の端子１０３とが設けられている。
【００１８】
スプリング１０４の一端はカードソケット１００のＳＤカードの挿入方向の端部に固定されており、他方は突出部１０５の基部に固定されており、突出部１０５と一体的に変位する構成とされている。スプリング１０４と突出部１０５とからなるスプリング機構は、挿入されたＳＤカードを排出するための機構であって、ＳＤカードが挿入されていない時はスプリング１０４が伸張した状態（待機状態）になっている。この状態で図２に示すようにＳＤカード３００が差し込まれると、スプリング１０４が縮んだ状態へ変わる。この時スプリング機構は、スプリング１０４が一度縮んだ状態で固定される構造になっている。ＳＤカード３００を排出するには、この縮んだ状態から更に挿入方向へＳＤカード３００を押し込むことで、スプリング機構の固定が解除され、スプリング１０４が前記待機状態へ自動復帰するときの伸張力によりＳＤカード３００が排出される。
【００１９】
また、簡易ロックピン１０１は、一端が固定され、他端が自由端とされており、ＳＤカードが勝手に排出されないようにするためのピンである。すなわち、簡易ロックピン１０２はＳＤカードが挿入された時にＳＤカードの側面に形成された溝に納まり、不用意にＳＤカードを排出させないために設置されている。ＳＤカードを排出させたい場合にはこの簡易ロックピン１０２が外れる構造になっている。
【００２０】
カード検出スイッチ１０２は一端が前記他方の側壁に固定されており、他端が自由端とされており、その他端が端子１０３にＳＤカード挿入時に接触可能な構造とされている。カード検出スイッチ１０２と端子１０３とは、ＳＤカードが挿入されているか否かを検出するためのスイッチＳＷを構成している。カード検出スイッチ１０２は、ＳＤカードが差し込まれることで金属製の端子１０３と接触し（上記のスイッチＳＷがオン）、導通することでＳＤカードが挿入されたことを検出できる構造になっている。
【００２１】
以上のロック装置１０６以外の構成は、図１０に示したカードソケット２００と同様の構成である。ロック装置１０６以外の構成は、例えば日本航空電子工業株式会社製のＳＤカードソケット“品名：ＳＧ５”（例えば、カタログは、ｈｔｔｐ：／／ｗｗｗ．ｊａｅ−ｃｏｎｎｅｃｔｏｒ．ｃｏｍ／ｊｐ／ｐｄｆ／ＳＧ５．ｐｄｆ参照）や、ヒロセ電機株式会社製のＳＤカードソケットを利用できる。
【００２２】
ロック装置１０６は、ＳＤカードが任意に排出できないようにするためのものである。このロック装置１０６は、図１において、左右方向に移動自在な作動部１０７を駆動する構成である。作動部１０７は例えば角型又は丸型棒状の部材で、ロック装置１０６内に収納された状態１か、ロック装置１０６の外部に突出された状態２のいずれかにその位置が制御される。状態２のときは、作動部１０７は簡易ロックピン１０１の自由端である先端をＳＤカード方向へ押さえる。これにより、ロック装置１０６は、ＳＤカードを排出しようとする時に、スプリング１０４の伸張力に抗して簡易ロックピン１０２によるロックが外れないようにすることができ、ＳＤカードの排出をロックする。
【００２３】
図３（Ａ）はロック装置１０６の構成と、カード検出スイッチ１０２及び端子１０３からなるスイッチＳＷとの接続関係の一実施形態を示す。同図（Ａ）に示すように、ロック装置１０６は、Ｈｉレベルの電源電圧を供給する直流電源端子が抵抗４０１及びインバータ４０２を直列に介して２入力ＡＮＤ回路４０３の一方の入力端子に接続されると共に、ＡＮＤ回路４０３の他方の入力端子にＣＰＵ制御信号が入力される構成とされ、また、ＡＮＤ回路４０３の出力端子４０３が駆動機構４０４に接続されている。駆動機構４０４は、ＡＮＤ回路４０３の出力信号に応じて、作動部１０７を駆動してその位置を水平方向に直動変位させる。この駆動機構４０４と作動部１０７とは、例えばプランジャとソレノイドで構成できる。また、カード検出スイッチ１０２及び端子１０３からなるスイッチＳＷをＧＮＤ電位が抵抗４０１とインバータ４０２の接続点に供給される構成とされている。
【００２４】
これにより、上記のスイッチＳＷがオンの時、Ｌｏｗレベルの信号がロック装置１０６内のインバータ４０２へ出力され、スイッチＳＷがオフの時は、Ｈｉレベルの信号がインバータ４０２へ出力される。また、ＡＮＤ回路４０３の他方の入力端子には、図示しないＣＰＵからＬｏｗレベル又はＨｉレベルのＣＰＵ制御信号が供給される。
【００２５】
駆動機構４０４は、ＡＮＤ回路４０３の出力信号がＨｉレベルのときのみ（すなわち、スイッチＳＷの出力信号がＬｏｗレベル、ＣＰＵ制御信号がＨｉレベルのときのみ）、作動部１０７をロック装置１０６の外部へ突出した状態２とする。それ以外のＡＮＤ回路４０３の出力信号がＬｏｗレベルのときは、作動部１０７をロック装置１０６の内部に収納した状態１とする。従って、以上のスイッチＳＷの出力信号、ＣＰＵ制御信号及び作動部１０７の動作状態をまとめると、図３（Ｂ）の動作条件表に示すようになる。
【００２６】
また、本実施形態のカードソケット１００には、図４に示すようにピンが設置されている。同図において、ピン（ｐｉｎ）１から９は、ＳＤカード３００を使うための信号線や電源、ＧＮＤのためのピンで、一般的なカードソケット２００と同じものであり、本実施形態のカードソケット１００には、これにピン１０が追加された構成とされている。このピン１０に供給されるＣＰＵ制御信号が、図３（Ａ）に示したロック装置１０６内のＡＮＤ回路４０３に供給される。
【００２７】
図５は、本発明になるカード排出防止装置の一実施形態の構成図を示す。同図において、本発明のカードソケット１００の図４に示したピン１〜９には、演算装置であるＣＰＵ１との間でデータバス２を伝送するデータとＣＭＤ信号とが双方向に入出力され、ピン１０にはＣＰＵ１からＳＤカードがアクセス中かアクセスしていないかを知らせるためのＣＰＵ制御信号が供給される。本実施形態では、ＳＤカードがアクセス中のときは、ＣＰＵ１からＨｉレベルのＣＰＵ制御信号を出力して、ロック装置１０６により作動部１０７を状態２として、ＳＤカードに対する簡易ロックピン１０２によるロックが外れないようにする。
【００２８】
次に、図１及び図５の各実施形態の動作について、更に詳細に説明する。
【００２９】
図６はＳＤカード３００がカードソケット１００内に完全に挿入されていない状態の平面図を示す。ＳＤカード３００は、まだカードソケット１００内に完全に挿入されていないので、カード検出スイッチ１０２はカードソケット１００側に設置されている金属製の端子１０３と接触しておらず、前述したスイッチＳＷはオフ状態である。このため、図３（Ａ）に示したロック装置１０６にＨｉレベルの信号が供給されるので、インバータ４０２で論理反転されてＬｏｗレベルの信号がＡＮＤ回路４０３の一方の入力端子に入力される。この結果、ＡＮＤ回路４０３の出力信号はＬｏｗレベルとなり、作動部１０７は図３（Ｂ）及び図６に示したように、ロック装置１０６の内部に収納された状態１となる。
【００３０】
また、ＳＤカード３００がカードソケット１００内に完全に挿入されていないため、ＳＤカード３００を排出するためのスプリング機構のスプリング１０４は伸張した待機状態となっている。また、図６に示すように、ＳＤカード３００がカードソケット１００内に完全に挿入されていないが、途中まで挿入されているため、簡易ロックピン１０１の先端側はＳＤカード３００の側面に接触して、図中右方向に力が付勢されており、ＳＤカード３００の溝３０１に係合していないので、この状態では簡易ロックとしての機能は果たしていない。
【００３１】
図７はＳＤカード３００がカードソケット１００内に完全に挿入された状態の平面図を示す。図７は図６の状態にあるＳＤカード３００を更に図６中、上方向（カードソケット１００の奥方向）へ挿入してスプリング１０４が一度縮んで保持された状態である。すなわち、ＳＤカード３００を挿入すると、ＳＤカード３００の先端部が突出部１０５に当接し、更にこの状態でスプリング１０４の伸張力に抗してＳＤカード３００を押し込むと、図７に示すように、カード検出スイッチ１０２の自由端が端子１０２と接触して上記のスイッチＳＷがオン状態となり、ＳＤカード３００が挿入されたことが検出される。
【００３２】
また、これと同時に、スプリング１０４が図７に示すように、一度収縮した状態でＳＤカード３００が固定されると共に、ＳＤカード３００の側面の溝３０１に簡易ロックピン２０１のバネ力により、簡易ロックピン２０１の先端部が係合する。これによりＳＤカード３００がカードソケット１００から不用意な排出が無くなる。
【００３３】
この図７の状態で再度ＳＤカード３００を挿入方向へ押し込むと、スプリング機構によるＳＤカード３００の固定保持が解除され、スプリング１０４の待機状態へ自動復帰するときの伸張力により突出部１０５が図７の下方向に移動して、突出部１０５に当接しているＳＤカード３００を下方向に移動させる。このとき、図７の状態では簡易ロックピン１０２はＳＤカード３００に設置されている溝３０１に係合しているが、簡易ロックピン１０２のみでＳＤカード３００の溝３０１に係合しているので、自然にＳＤカード３００が排出されることはないが、上記のスプリング１０４の伸張力という上記の簡易ロックピン１０２と溝３０１との係合力よりも大きな力が外部から付勢されるために、簡易ロックピン１０２のロックは外れ、ＳＤカード３００がカードソケット１００から排出される。
【００３４】
この排出動作がＳＤカード３００に対してＣＰＵ１がアクセスしている期間内に発生すると、前述した問題が生じるので、本実施形態では、ＣＰＵ１がＳＤカード３００に対してアクセス動作している期間中には、ＣＰＵ１からロック装置１０６内のＡＮＤ回路４０３の他方の入力端子にＨｉレベルのＣＰＵ制御信号が供給される。一方、図７に示したＳＤカード３００の挿入状態では、前述したように、カード検出スイッチ１０２と端子１０３からなるスイッチＳＷがオン状態であり、図３（Ａ）に示したロック装置１０６にＬｏｗレベルの信号が供給されるので、インバータ４０２で論理反転されてＨｉレベルの信号がＡＮＤ回路４０３の一方の入力端子に入力される。この結果、ＡＮＤ回路４０３の出力信号はＨｉレベルとなり、駆動機構４０４が駆動され、作動部１０７がロック装置１０６の外部に突出する状態２となる。
【００３５】
作動部１０７がロック装置１０６の外部に突出すると、図８の平面図に示すように、作動部１０７により簡易ロックピン１０２の先端部を溝３０１内に押し込む力が付勢される。この結果、簡易ロックピン１０２がロック装置１０６によりロックされ、ＳＤカード３００をスプリング１０４の伸張力により再度挿入方向へ押すことができず、また、挿入方向とは逆にＳＤカード３００を引き抜くことも同様にできなくなる。
【００３６】
なお、ＣＰＵ１がＳＤカード３００に対してアクセス動作を行っていない時は、ＣＰＵ１からロック装置１０６にＬｏｗレベルのＣＰＵ制御信号が供給される。このため、ＳＤカード３００がカードソケット１００内に完全に挿入された状態であり、上記のスイッチＳＷがオン状態であっても、図３（Ａ）に示したＡＮＤ回路４０３の出力信号はＬｏｗレベルとなり、作動部１０７がロック装置１０６の内部に収納された状態１とされ、ロック装置１０６による簡易ロックピン１０２のロックが解除されるため、図７の平面図に示した状態に戻る。
【００３７】
これにより、ＳＤカード３００を挿入方向に押すことで、スプリング機構によるＳＤカード３００の固定保持が解除され、スプリング１０４の待機状態へ自動復帰するときの伸張力により突出部１０５が図７の下方向に移動して、ＳＤカード３００をカードソケット１００の外部に排出することが可能となる。ＳＤカード３００がカードソケット１００の外部に排出されると、図１の平面図に示したように、カード検出スイッチ１０２の先端部がカード検出スイッチ１０２のバネ力により端子１０３から離間した待機位置に自動復帰するために前記スイッチＳＷがオフとなり、また、簡易ロックピン１０１もそのバネ力によりロック装置１０６から離間した待機位置に自動復帰する。
【００３８】
このように、本実施形態によれば、ＣＰＵ１の制御の下に、ＳＤカード３００へのアクセス中はロック装置１０６により簡易ロックピン１０２がロックするようにしたため、ＳＤカード３００を再度挿入方向へ押すことができず、また、挿入方向とは逆にＳＤカード３００を引き抜くことも同様にできないため、ＳＤカード３００へのアクセス中のＳＤカードの誤排出を防止できる。その結果、ＣＰＵ１が指示をしてＳＤカード３００に対して、書き込みや読み出しといったアクセス動作をしている時に、ユーザーによってＳＤカード３００の誤排出操作によって、ＳＤカード３００を抜き取られてしまい、データの書き込みやデータの読み取りが中途でできなくなる現象を防止することができる。
【００３９】
なお、本実施形態の基本的動作は以上の通りであるが、ＳＤカード３００が挿入されていないとき、ＣＰＵ１はＳＤカード３００へアクセスすることはない。しかし、ＳＤカード３００がカードソケット１００内に挿入されていないため、カード検出スイッチ１０２と端子１０３とからなるスイッチＳＷがオフであり、ロック装置１０６へＨｉレベルの信号を送っている時に、誤動作などによってＣＰＵ制御信号がＨｉレベルになった場合は、ロック装置１０６はＳＷがＨｉ、ＣＰＵ制御信号はＨｉという状態になるので、図３（Ｂ）の動作条件表からロック装置１０６の作動部１０７の動作状態は状態１となり、簡易ロックピン１０２のロック装置１０６によるロックは解除される。従って、本実施形態では上記の誤動作が生じても、ＳＤカードは挿入可能となり、その後に問題となることはない。
【００４０】
これに対し、もし上記スイッチＳＷの信号をロック装置１０６に送る本実施形態の構成になっておらず、アクセスの有無を示すＣＰＵ制御信号のみでロック装置１０６の動作を制御する構成とした場合は、上記の誤動作などによってＣＰＵ制御信号がＨｉレベルになると、ＳＤカード３００が挿入されていないにも拘らずロック装置１０６は作動部１０７が突出する状態２となり、図９の平面図に示すように、簡易ロックピン１０２のロック装置１０６によるロックが行われてしまう。この結果、図９に示すように、ＳＤカード３００がカードソケット１００内に挿入できないといった問題が生じることになる。しかし、本実施形態では、上述したように、上記スイッチＳＷの信号をロック装置１０６に送るようにしているので、図９に示した問題は生じない。
【００４１】
次に、本発明の他の実施形態について説明する。モバイル端末などでは電池が切れてしまう場合が考えられる。このため、本発明をモバイル端末などの電池を電源とする電気機器に適用した場合、簡易ロックピン１０１をロック装置１０６でロックしている状態で電源が切れてしまい、ＳＤカード３００が取り外せないということが考えられる。そこで、この実施形態は、基本的な構成は上記の実施形態と同様であるが、更にカードソケット内に電源電圧を検出できるピンを追加すると共に、そのピンに印加される電源電圧が所定値以下の場合には、ロック装置１０６は状態１を保つ構成とする。これにより、簡易ロックピン１０１をロック装置１０６でロックしている状態で電源電圧が所定値以下となった場合には、ロック装置１０６による簡易ロックピン１０１のロックを解除することで、電池が切れた場合にＳＤカード３００が取り外せないという現象が生じないようにすることができる。
【００４２】
なお、本発明は以上の実施形態に限定されるものではなく、例えば、本発明はＳＤカードの挿入方向とその逆方向への引き抜きをそれぞれ禁止できる構造なので、プッシュ・プッシュ型の排出機構を用いない単純に抜き差しするタイプのソケットにおいても本発明を適用することができる。また、上記の実施形態では、ＳＤカードの挿入・排出を行うカードソケットについて説明しているが、他のＭＭＣカード、メモリスティックといった他のカード型外部記憶装置にも本発明を適用できる。また、ＳＤカードについてはＳＤカード、ＭｉｎｉＳＤカード、ｍｉｃｒｏＳＤカードとあるがすべてのタイプに適用でき、更にはその他のメモリカードも同様にサイズが違うタイプのものでも対応できる。
【図面の簡単な説明】
【００４３】
【図１】本発明のカードソケットの一実施形態の平面図である。
【図２】図１のカードソケットにＳＤカードが挿入される前の状態の斜視図である。
【図３】図１中のロック装置の構成と、カード検出スイッチ及び端子からなるスイッチとの接続関係の一実施形態を示す図と、動作条件表を示す図である。
【図４】本発明のカードソケットの一実施形態のピン配置図である。
【図５】本発明のカード排出防止装置の一実施形態の構成図である。
【図６】ＳＤカードが本実施形態のカードソケットに挿入されていない状態の平面図である。
【図７】ＳＤカードが本実施形態のカードソケットに完全に挿入された状態で、かつ、アクセスが行われていない状態の平面図である。
【図８】ＳＤカードが本実施形態のカードソケットに完全に挿入された状態で、かつ、アクセスが行われている状態の平面図である。
【図９】ＳＤカードがカードソケット内に挿入できないといった問題を説明する平面図である。
【図１０】本発明に関連するカードソケットの一例の平面図である。
【図１１】ＳＤカードが途中まで挿入された状態の図１０のカードソケットの平面図である。
【図１２】ＳＤカードが挿入された状態の図１０のカードソケットの平面図である。
【符号の説明】
【００４４】
１  中央処理装置（ＣＰＵ）
１００  一実施形態のカードソケット
１０１  簡易ロックピン
１０２  カード検出スイッチ
１０３  端子
１０４  スプリング
１０５  突出部
１０６  ロック装置
１０７  作動部
３００  ＳＤカード
３０１  溝
【図１】
2009099000.tif 000003
【図２】
2009099000.tif 000004
【図３】
2009099000.tif 000005
【図４】
2009099000.tif 000006
【図５】
2009099000.tif 000007
【図６】
2009099000.tif 000008
【図７】
2009099000.tif 000009
【図８】
2009099000.tif 000010
【図９】
2009099000.tif 000011
【図１０】
2009099000.tif 000012
【図１１】
2009099000.tif 000013
【図１２】
2009099000.tif 000014